(57)【要約】【課題】前パーツと後パーツからなる合成樹脂製の便器を形成でき、合成樹脂製でありながら便器の強度を高めることができる便器装置を提供する。【解決手段】合成樹脂製の便器２を金属製の支持フレーム３に取付けてなる便器装置である。支持フレーム３は、床１４上に設置される下フレーム３ａと、下フレーム３ａの後部上方に位置する上フレーム３ｂと、下フレーム３ａ及び上フレーム３ｂを接続する縦フレーム３ｃを備える。上フレーム３ｂに便器付属装置を載置して取付ける。下フレーム３ａの前部に平面視馬蹄形状の載置部２１を形成する。便器２はボウル１の外側を覆うスカート部１３を備える。スカート部１３の下部から内側に向けて突出してスカート部１３の周方向に伸びる載置横片６０を突出する。載置横片６０を下フレーム３ａの載置部２１に載置して取付ける。【選択図】図１
2008095449.tif 000002
【特許請求の範囲】
【請求項１】
合成樹脂製の便器を金属製の支持フレームに取付けてなる便器装置であって、支持フレームは、床上に設置される下フレームと、下フレームの後部上方に位置する上フレームと、下フレーム及び上フレームを接続する縦フレームを備え、上フレームに便器付属装置を載置して取付け、下フレームの前部に平面視馬蹄形状の載置部を形成し、便器はボウルの外側を覆うスカート部を備え、スカート部の下部から内側に向けて突出してスカート部の周方向に伸びる載置横片を突出し、該載置横片を下フレームの載置部に載置して取付けて成ることを特徴とする便器装置。
【請求項２】
スカート部の下端部を載置横片よりも下方に突出して下フレーム覆い部とし、下フレームの載置部の外面側に下フレーム覆い部を配置し、該下フレーム覆い部の下端と床への設置面となる載置部の下面との間に隙間を形成して成ることを特徴とする請求項１に記載の便器装置。
【請求項３】
スカート部の下フレーム覆い部の内面と載置部の外側面との間に隙間を形成して成ることを特徴とする請求項２に記載の便器装置。
【請求項４】
前記縦フレームは、下フレームの後部両側に立設した縦フレーム材を備え、各縦フレーム材の上端部を上フレームに接続し、スカート部の両側の後端部の夫々の内面を縦フレーム材沿面とし、各縦フレーム材の外側面に縦フレーム材沿面を沿わせて成ることを特徴とする請求項１乃至３のいずれか１項に記載の便器装置。
【請求項５】
スカート部の後部から内側方に向けて突出する縦フレーム取付部を形成し、縦フレーム取付部よりも後方に突出したスカート部の後端部の内面を前記縦フレーム材沿面とし、縦フレーム取付部を縦フレーム材の前面側に配置して縦フレーム材に取付けて成ることを特徴とする請求項４に記載の便器装置。
【請求項６】
スカート部の内面に上下に伸びる補強リブを形成し、該補強リブの下端を前記載置横片に一体に接続して成ることを特徴とする請求項１乃至５のいずれか１項に記載の便器装置。
【発明の詳細な説明】
【技術分野】
【０００１】
本発明は合成樹脂製の便器を備えた便器装置に関する。
【背景技術】
【０００２】
従来から例えば特許文献１に示すような便器を陶器により形成した便器装置が利用されているが、このような陶器製の便器は加工し難くて便器の形状が制限されるし、また寸法精度が悪く重い等の問題がある。
【０００３】
そこで本発明者は本発明に至る過程において、便器を合成樹脂製とすることを想起したが、このように便器を合成樹脂製とした場合には強度が弱いという問題があり、特に便座に着座する等して便器に大きな荷重がかかった際には、便器が変形して破損する恐れがある。
【特許文献１】特開２００３−４１６４５号公報
【発明の開示】
【発明が解決しようとする課題】
【０００４】
本発明は上記従来の問題点に鑑みて発明したものであって、前パーツと後パーツからなる合成樹脂製の便器を形成でき、合成樹脂製でありながら便器の強度を高めることができる便器装置を提供することを課題とする。
【課題を解決するための手段】
【０００５】
上記課題を解決するために本発明に係る便器装置は、合成樹脂製の便器２を金属製の支持フレーム３に取付けてなる便器装置であって、支持フレーム３は、床１４上に設置される下フレーム３ａと、下フレーム３ａの後部上方に位置する上フレーム３ｂと、下フレーム３ａ及び上フレーム３ｂを接続する縦フレーム３ｃを備え、上フレーム３ｂに便器付属装置を載置して取付け、下フレーム３ａの前部に平面視馬蹄形状の載置部２１を形成し、便器２はボウル１の外側を覆うスカート部１３を備え、スカート部１３の下部から内側に向けて突出してスカート部１３の周方向に伸びる載置横片６０を突出し、該載置横片６０を下フレーム３ａの載置部２１に載置して取付けて成ることを特徴とする。
【０００６】
上記構成により合成樹脂製の便器２を形成でき、またこの強度の弱い合成樹脂製の便器２を金属製の支持フレーム３に取付けることで便器２を補強できる。また比較的軽量な便器付属装置を支持フレーム３の上フレーム３ｂに載置して取付け、便座７に人が着座した場合等に大きな荷重がかかるスカート部１３の載置横片６０を床１４上に設置される下フレーム３ａの平面視馬蹄形状の載置部２１に載置して取付けることで、便座７に人が着座した場合等に支持フレーム３に大きな荷重がかかった際に該支持フレーム３が変形することを防止できる。また支持フレーム３を床１４上に安定して設置できる。また便座７に人が着座した場合等にスカート部１３に荷重がかかったとしても、この荷重をスカート部１３の内側に向けて突出した載置横片６０を介して下フレーム３ａの載置部２１で受けることができ、厚みの薄いスカート部１３が変形することを防止できる。
【０００７】
また請求項２は請求項１において、スカート部１３の下端部を載置横片６０よりも下方に突出して下フレーム覆い部６１とし、下フレーム３ａの載置部２１の外面側に下フレーム覆い部６１を配置し、該下フレーム覆い部６１の下端と床１４への設置面となる載置部２１の下面との間に隙間７８を形成して成ることを特徴とする。
【０００８】
下フレーム３ａの載置部２１の外面側を下フレーム覆い部６１で覆って支持フレーム３がほとんど露出しない便器装置とすることができ、外観を向上できる。
【０００９】
また請求項３は請求項２において、スカート部１３の下フレーム覆い部６１の内面と載置部２１の外側面との間に隙間７９を形成して成ることを特徴とする。
【００１０】
スカート部１３の載置横片６０を支持フレーム３の載置部２１に載置する際には下フレーム覆い部６１の内側に載置部２１を嵌めこむように配置する必要があるが、前述のようにスカート部１３の下フレーム覆い部６１の内面と載置部２１の外側面との間に隙間７９を形成すると、下フレーム覆い部６１の内側に載置部２１を容易に嵌め込むことができる。
【００１１】
また請求項４は請求項１乃至３のいずれか１項において、前記縦フレーム３ｃは、下フレーム３ａの後部両側に立設した縦フレーム材２８ａを備え、各縦フレーム材２８ａの上端部を上フレーム３ｂに接続し、スカート部１３の両側の後端部の夫々の内面を縦フレーム材沿面６３とし、各縦フレーム材２８ａの外側面に縦フレーム材沿面６３を沿わせて成ることを特徴とする。
【００１２】
各縦フレーム材２８ａの外側面に縦フレーム材沿面６３を沿わせることで、厚みの薄いスカート部１３の両側の後端部が内側方に向けて変形した場合に、縦フレーム材沿面６３を縦フレーム材２８ａの外側面に当接させて支持することができ、これによりスカート部１３の変形を防止できる。
【００１３】
また請求項５は請求項４において、スカート部１３の後部から内側方に向けて突出する縦フレーム取付部６２を形成し、縦フレーム取付部６２よりも後方に突出したスカート部１３の後端部の内面を前記縦フレーム材沿面６３とし、縦フレーム取付部６２を縦フレーム材２８ａの前面側に配置して縦フレーム材２８ａに取付けて成ることを特徴とする。
【００１４】
縦フレーム取付部６２を縦フレーム材２８ａに取付けることで、スカート部１３の後端部にかかる左右方向の力を縦フレーム材２８ａで受けることができ、スカート部１３の変形を一層防止できる。
【００１５】
また請求項６は請求項１乃至５のいずれか１項において、スカート部１３の内面に上下に伸びる補強リブ２５を形成し、該補強リブ２５の下端を前記載置横片６０に一体に接続して成ることを特徴とする。
【００１６】
補強リブ２５によりスカート部１３を補強でき、また補強リブ２５の下端を載置横片６０に一体に接続することで、便器２の荷重がかかる載置横片６０を補強できる。
【発明の効果】
【００１７】
請求項１に係る発明では、合成樹脂製の便器を形成でき、またこの強度の弱い合成樹脂製の便器を金属製の支持フレームで補強できる。また便座に人が着座した場合等には支持フレームに大きな荷重がかかるが、この場合に支持フレームが変形することを防止でき、また支持フレームを床上に安定して設置できる。また便座に人が着座した場合等にスカート部に荷重がかかったとしても、この荷重をスカート部の内側に向けて突出した載置横片を介して下フレームの載置部で受けることができ、厚みの薄いスカート部が変形することを防止できる。
【発明を実施するための最良の形態】
【００１８】
以下、本発明を添付図面に示す実施形態に基づいて説明する。図１は本実施形態の一例の便器装置の分解斜視図であり、図２乃至図７は便器装置の外観図である。便器装置は図１に示すようにボウル１を備えた便器２で主体を構成してあり、便器２は床１４上に設置した鉄などの金属製の支持フレーム３に取付けてある。
【００１９】
便器２の上面後端部には立上部４を立ち上げ形成してあり、立上部４を含む便器２自体の後部には後述の便器付属装置やトラップ筒を設けたトラップケース２７や洗浄液タンク４６を内蔵している。立上部４の前部の両側端部には前方、上方、外側方の３方に開口した空所部からなる被枢支部収納部６を形成している。各被枢支部収納部６の前部には便座７の後端部の両端部から後方に突設した便座被枢支部７ａを配置し、後部には便蓋９の後端部の両端部から後方に突設した便蓋被枢支部９ａを配置している。各被枢支部収納部６の側面部の前部には便座枢支部８を形成してあり、後部には便蓋枢支部１０を形成している。各便座枢支部８には便座被枢支部７ａを回動自在に枢支してあり、これにより便座７を起倒自在としている。また各便蓋枢支部１０には便蓋被枢支部９ａを回動自在に枢支してあり、これにより便蓋９を起倒自在自在としている。
【００２０】
便器２はボウル１を備えた前パーツ２ａと後パーツ２ｂで構成してあり、前パーツ２ａ及び後パーツ２ｂは共に合成樹脂製である。前パーツ２ａ及び後パーツ２ｂは支持フレーム３に夫々独立して取付けられる。前パーツ２ａは、ボウル部１１と、ボウル部１１の上端部に配置するリム部１２と、ボウル部１１とリム部１２で構成したボウル１の外側を覆うスカート部１３を備えており、これら合成樹脂製のボウル部１１、リム部１２、スカート部１３を溶着一体化することで前パーツ２ａを構成している。
【００２１】
後パーツ２ｂは、便器付属装置を設けた装置支持ケース１５と、装置支持ケース１５の上方を覆う上カバー１６と、上カバー１６の背板部８８の下方に配置されるリアカバー１７と、リアカバー１７の上部両側端部の夫々の前方に配置される上サイドカバー１８と、リアカバー１７の下部両側端部の前方に配置される下サイドカバー１９とからなり、装置支持ケース１５、上カバー１６、リアカバー１７、両上サイドカバー１８、両下サイドカバー１９はいずれも合成樹脂製である。そして後パーツ２ｂの上カバー１６で便器２の後部上端部の外郭が構成され、リアカバー１７で上カバー１６下方の便器２の後面が構成され、上サイドカバー１８と上サイドカバー１８下方の下サイドカバー１９で上カバー１６下方の便器２の側面が構成される。
【００２２】
図８に示すように支持フレーム３は、床１４にパッキン２０（図１７参照）を介して設置される下フレーム３ａと、下フレーム３ａの後部上方に位置する上フレーム３ｂと、下フレーム３ａ及び上フレーム３ｂを接続する縦フレーム３ｃとで構成してあり、下フレーム３ａをボルト等の固着具により床１４に固着することで固定されている。
【００２３】
下フレーム３ａは平面視環状の角状パイプからなる下フレーム材２６の両側を下連結材２２で連結して形成してある。下フレーム材２６の前部は平面視で後方に開口する馬蹄形状に形成してあり、載置部２１となっている。以下載置部２１を後述のリム部１２の便座載置部３４と区別するために前パーツ載置部２１と記載する。下フレーム材２６の両側の後部にはトラップケース取付部２３を設けてあり、各トラップケース取付部２３には後述のトラップケース２７の両側端部の夫々がビス５８で固着される。
【００２４】
上フレーム３ｂは前後に長い角状パイプからなる上フレーム材２９を両側に配置し、上フレーム材２９の前端同士を上連結材３０で連結して形成している。各上フレーム材２９の上面には支持ケース取付板５９を設けている。また各上フレーム材２９の下面にはアーム取付部１１８を設けてあり、各アーム取付部１１８には肘掛用のアーム１１９の一端が回動自在に取付けられる。なおアーム１１９は設けなくても良いものとする。縦フレーム３ｃは下フレーム材２６の後部の前後両側の夫々から立設したパイプからなる縦フレーム材２８で構成してあり、各縦フレーム材２８の上端は上フレーム材２９に接続されている。
【００２５】
図９及び図１０に示すように後パーツ２ｂの装置支持ケース１５上には、便器付属装置として、局部洗浄装置５ａ、臀部乾燥用の送風装置５ｂ、ボウル１内の臭気を脱臭するための脱臭装置５ｃ、ボウル１内に洗浄液を供給するボウル洗浄装置５ｄを取付けてあり、該装置支持ケース１５は上フレーム３ｂに設けた支持ケース取付板５９に載置され、該支持ケース取付板５９に図示しないビス等の固着具により取付けてある。
【００２６】
図１１及び図１２に示すスカート部１３は水平断面で後方に開口する略Ｃ字状の壁状に形成してあり、ボウル１の後部を除く外側を覆っている。またスカート部１３の両側の後縁は下方程前方に位置するように傾斜している。スカート部１３の内面の上部にはスカート部１３の周方向に沿って段差部３１を形成している。スカート部１３の段差部３１の上面よりも下方の内面には上下に伸びる補強リブ２５をスカート部１３の周方向に間隔を介して一体に突出してあり、これら補強リブ２５はスカート部１３の周方向の全長に亘る範囲に多数形成されている。各補強リブ２５の上端面は段差部３１の上面と面一であり、各補強リブ２５の上端面と段差部３１の上面とでボウル部載置面３２を構成している。
【００２７】
図１１及び図１３に示すボウル部１１の上端にはフランジ３３を外方に向けて一体に突出してあり、フランジ３３はボウル部１１の後側を除く全長に亘って形成されている。ボウル部１１はスカート部１３内の上部に上方から嵌め込み、フランジ３３をボウル部載置面３２に載置して溶着することでスカート部１３と一体化してある。
【００２８】
図１１及び図１４に示すリム部１２はボウル１の上開口１ａの周縁部を構成する便座載置部３４と、便座載置部３４から下方に一体に突出してボウル１の上端部を構成する平面視環状の嵌込部３５とからなる。便座載置部３４は前パーツ２ａの上面を構成するものであり、倒した状態の便座７が載置される部分となる。便座載置部３４の前側から側部に亘る縁部をスカート部１３の上端縁部に載置して溶着すると共に、嵌込部３５をボウル部１１上に載置して溶着することで、リム部１２はスカート部１３及びボウル部１１と一体化してある。
【００２９】
図１８に示すようにボウル部１１とリム部１２の嵌込部３５で構成されるボウル１は、その周壁部の上端部にボウル１の内側に向けて開口する断面コ字状の洗浄液流路部３６をボウル１の周方向の全長に亘って形成している。洗浄液流路部３６においてボウル１の一方の側端部（右側端部）且つ後端部に位置する部分には前後に貫通する洗浄液噴出口３７（図１１や図１３参照）を形成してあり、ボウル洗浄装置５ｄから送られた洗浄液は洗浄液噴出口３７を介してボウル１の洗浄液流路部３６内に臨んでいる。従って洗浄液噴出口３７から前方に向けて噴出した洗浄液はボウル１の周方向に亘る洗浄液流路部３６に沿って流れ、これによりボウル１内に洗浄液の旋回流が生じ、該旋回流によりボウル１の内面を洗浄できるようになっている。
【００３０】
図１１に示すようにボウル部１１の底部には後方に向けて排水筒部４２を一体に突設してあり、排水筒部４２にはトラップの一端部が接続される。トラップはターントラップ方式のもので、フレキシブルなトラップ筒（図示せず）により構成してあり、モータ（図示せず）によりトラップ筒を回動して、トラップ筒が上向きＵ字状となったトラップ構造となる状態と、略逆Ｌ字状となってトラップ構造が解除される状態とを選択できるようになっており、通常はトラップ筒が上向きＵ字状となったトラップ構造となっていてボウル１内の下部、排水筒部４２、トラップ筒内に水が溜まった状態となっていて、この状態で大便や小便を行い、大便や小便が終わると、後述のように洗浄液噴出口３７から洗浄液を流すと共に、トラップ筒を回動してトラップ構造を解除する状態として、汚物と共に汚水を排水するようになっている。上記フレキシブルなトラップ筒、モータ等は図１９に示すトラップケース２７内に収納してあり、該トラップケース２７は装置支持ケース１５の下方に形成された収納部１２２に配置されて前述したように支持フレーム３に取付けてある。なお、トラップケース２７の下部は開口していてトラップ筒の端部が床１４に形成される排水筒に接続される。
【００３１】
トラップケース２７の一方（右側）の側面部には螺子孔４３を形成してあり、螺子孔４３には受具係止部として図示しないねじ具を螺着している。ねじ具にはタンク受部材４４に設けた係止孔４５を着脱自在に係止してあり、これによりトラップケース２７の右側の側面部にタンク受部材４４を着脱自在に取付けている。タンク受部材４４は洗浄液タンク４６を係止した状態で受けるものであり、これにより洗浄液タンク４６はタンク受部材４４に着脱自在に取付けられている。洗浄液タンク４６はボウル洗浄装置５ｄに設けた水流路にポンプを介して接続してあり、ポンプを駆動することで水源に接続された水流路に洗浄液タンク４６内の洗浄液を送って水流路を流れる水と混合し、この水で希釈した洗浄液を洗浄液噴出口３７からボウル１内に噴出できるようになっている。またトラップケース２７の洗浄液タンク４６とは反対側である左側には停電時にトラップ筒を手動で回動するための操作レバーや、便器付属装置に接続した配線などが配設してある。
【００３２】
図１や図１４に示すようにボウル１の上端部を構成するリム部１２の嵌込部３５の後端部には洗浄ノズル出し入れ用開口部４９と送風用開口部５０を左右に並べて形成している。局部洗浄装置５ａに設けた局部洗浄用ノズル５１を洗浄ノズル出し入れ用開口部４９を介してボウル１内に出し入れしたり、送風装置５ｂに設けたダクト５２の先端部から噴出する温風又は冷風を送風用開口部５０を介してボウル１内に噴出したりできるようになっている。また嵌込部３５の後端部において、洗浄ノズル出し入れ用開口部４９及び送風用開口部５０とは左右方向にずれた位置には、脱臭用開口部５３と発光用開口部５４を形成している。脱臭用開口部５３に連通する位置にある脱臭装置５ｃによりボウル１内の臭気を吸い込んで脱臭したり、装置支持ケース１５に設けたＬＥＤのような発光体を発光用開口部５４を介してボウル１内に臨ませて、該発光体によりボウル１内を明るく照らしたりできるようになっている。またスカート部１３の前部両側にはスピーカー嵌込孔５６を形成してあり、各スピーカー嵌込孔５６には便器付属装置としてスピーカー装置５ｅを嵌め込んで取付けている。
【００３３】
図１や図２２等に示すようにリム部１２の便座載置部３４の後縁の左右方向の中央部（即ちボウル１の上開口１ａの後方に位置する部分）にはボウル１の上開口１ａの後縁に沿う立上壁８１を一体に立ち上げており、立上壁８１で便座載置部３４上の汚水が後方に流れることを防止できる。便座載置部３４の両側端部の後端部は立上壁８１よりも後方に延出して延出部８２を形成してあり、立上壁８１は両延出部８２間に位置する。各延出部８２の他の延出部８２側の縁部には側壁８３を立設し、各側壁８３の前端は立上壁８１の側端に一体に接続している。
【００３４】
図１２、図１５、図１７に示すように前パーツ２ａのスカート部１３の下部にはスカート部１３の周方向に伸びるフランジ状の載置横片６０を内側に向けて一体に突出してあり、該載置横片６０はスカート部１３の周方向の両端部を除く全長に亘って形成されている。載置横片６０の周方向の複数箇所には取付用孔６０ａを穿設している。スカート部１３の周方向の全長に亘る下端部は載置横片６０よりも下方に突出して下フレーム覆い部６１としている。スカート部１３の両側の後部にはスカート部１３の後縁に沿って縦片状の縦フレーム取付部６２を内側方に向けて一体に突出している。各縦フレーム取付部６２は上端がスカート部１３の上下方向の中程に位置し、下端は載置横片６０の後端に一体に接続され、補強がなされている。各縦フレーム取付部６２にはスリーブ用孔６２ａを上下に複数穿設している。スカート部１３の両側の後端部（即ち周方向の両端部）は縦フレーム取付部６２よりも後方に突出し、同部の内面は縦フレーム材沿面６３となっている。
【００３５】
また支持フレーム３の前パーツ載置部２１の前記各取付用孔６０ａに対応する位置には取付用孔２１ａを穿設している。支持フレーム３の前側一対の縦フレーム材２８ａは角状パイプからなり、該縦フレーム材２８ａの前記各スリーブ用孔６２ａに対応する位置には固着用孔２８ａ１を穿設している。また各縦フレーム取付部６２を縦フレーム材２８ａに取付けるには縦フレーム取付部６２の前面に沿う金属製の補強板６４（図１５及び図１６参照）が用いられ、各補強板６４の前記各スリーブ用孔６２ａに対応する位置にはビス用孔６４ａを穿設している。また装置支持ケース１５の前端部には挿入部１５ａ（図１等参照）を形成してあり、リム部１２の便座載置部３４の後端部の前記挿入部１５ａに対応する位置には後方に開口する嵌込凹所６６（図１１参照）を形成している。
【００３６】
上記スカート部１３、ボウル部１１、リム部１２を一体化してなる前パーツ２ａを支持フレーム３に取付けるには、装置支持ケース１５の挿入部１５ａをリム部１２の嵌込凹所６６に嵌め込み、同時にスカート部１３の載置横片６０を下フレーム３ａの前パーツ載置部２１上に載置すると共に、各縦フレーム取付部６２を対応する縦フレーム材２８ａの前面に沿わせ、載置横片６０と前パーツ載置部２１をビス６５で固着すると共に、各縦フレーム取付部６２と対応する縦フレーム材２８ａをビス６７で固着する。
【００３７】
上記載置横片６０の前パーツ載置部２１への取付けは、図１７に示すように載置横片６０をパッキン６８を介して前パーツ載置部２１に載置し、各取付用孔２１ａに下方から挿通した皿頭ビス６５の軸部をパッキン６８及び取付用孔６０ａに挿通し、このビス６５の載置横片６０よりも上方に突出した軸部を、ゴム製パッキン６９、金属製ワッシャ７０、金属製ばね座金７１に順に挿通し、該軸部の先端部にナット１２１を螺合し、ワッシャ７０と前パーツ載置部２１でパッキン６８、６９を介して載置横片６０を挟持し、これにより載置横片６０と前パーツ載置部２１を締結する。またこの時、下フレーム覆い部６１は前パーツ載置部２１の外周側面側に配置されて前パーツ載置部２１が覆われ、また各縦フレーム材沿面６３は縦フレーム材２８ａの外側面に当接又は若干の隙間を介して沿わせられる。なお図中７３は下フレーム覆い部６１の内面に設けたシール材であり、前パーツ載置部２１と床１４との間をシールする。
【００３８】
また上記各縦フレーム取付部６２の縦フレーム材２８ａへの取付けは、図１６に示すように縦フレーム取付部６２を縦フレーム材２８ａの前面にゴムシートからなるパッキン７４を介して沿わせると共に、補強板６４を縦フレーム取付部６２の前面にゴムシートからなるパッキン７５を介して沿わせ、各固着用孔２８ａ１に前方から挿通したビス６７の軸部を、パッキン７５、スリーブ用孔６２ａ、パッキン７４に挿通させたスリーブ７６と、ビス用孔６４ａに順に挿通し、このビス６７の補強板６４から前方に突出した軸部にナット７７を螺合し、補強板６４と縦フレーム材２８ａでパッキン７４、７５を介して縦フレーム取付部６２を挟持し、これにより各縦フレーム取付部６２と対応する縦フレーム材２８ａを締結する。
【００３９】
図１７に示すように下フレーム覆い部６１の載置横片６０からの下方への突出長さは、スカート部１３の下端である下フレーム覆い部６１の下端と支持フレーム３の床１４への設置面となる前パーツ載置部２１の下面との間に隙間７８が形成される寸法としてあり、これによりスカート部１３にかかる下方向の荷重は略全て下フレーム３ａの前パーツ載置部２１で受けられるようになっている。また前パーツ載置部２１の外側面と下フレーム覆い部６１の内面との間には隙間７９が形成されるように設定している。
【００４０】
図１及び図２４に示すようにリアカバー１７の内面上端部の両側には係合部９７を一体に突設してあり、内面下端部の両側には載置片９８を一体に突設している。また図２０に示すように装置支持ケース１５の背面部の下端部の各係合部９７に対応する位置には被係合部９９を形成している。リアカバー１７を取付けるには、各係合部９７を装置支持ケース１５の被係合部９９に係止すると共に各載置片９８を平面視環状の下フレーム材２６の後端部上に載置し、各載置片９８と下フレーム材をビス等の固着具で固着する。
【００４１】
また図２４に示すようにリアカバー１７の内面の下部には正面視略コ字状のリブを突出してあり、このリブにより一側方（洗浄液タンク４６と反対側の左側方）に開口して該開口を装置差込口１２０ａとした凹所からなる装置取付部１２０を形成している。装置取付部１２０には便器付属装置として図示しない音声発生装置を装置差込口１２０ａから差し込んで配置できるようにしてある。音声発生装置は前述のスカート部１３に設けた各スピーカー装置５ｅに配線で接続してあり、例えば便座７に人が着座した場合に各スピーカー装置５ｅから鳥の鳴き声等のリラックス効果を高める音声を出せるようにしている。なお音声発生装置は装置取付部１２０に着脱自在に取付けられるようにしても良い。
【００４２】
図２５に示すように上サイドカバー１８の後部は後方程内側に位置するように湾曲し、該上サイドカバー１８の内面の後端部の上下２箇所には側方に突出する差込部１００を形成している。図２４に示すようにリアカバー１７の内面の側端部上部の各差込部１００に対応する上下２箇所には突片１０１を一体に突設してあり、各突片１０１には左右方向に貫通する差込孔１０２を形成している。また上サイドカバー１８の内面の前部の上下２箇所には水平断面Ｌ字状の係止片１０３を突設している。また図２７のようにスカート部１３の両側の後端部はこれよりも前方の部分よりもスカート部１３の内側に位置するように段差１０４を介して接続してあり、このうち上サイドカバー１８に対応する部分は後方に突出する差込片部１０６となっており、各差込片部１０６の内面において各係止片１０３に対応する位置には後方に開口する係止凹部１０７を形成している。
【００４３】
上サイドカバー１８を取付けるには、上サイドカバー１８の後端縁面をリアカバー１７の側端縁面の上部に合わせて上サイドカバー１８の外面とリアカバー１７の外面が面一となるように配置し、各差込部１００をリアカバー１７の対応する差込孔１０２に差し込んで前後方向に位置決めした状態で係止すると共に、図２７に示すように上サイドカバー１８の外面とスカート部１３の外面が面一となるように上サイドカバー１８の前端縁部をスカート部１３の差込片部１０６の外面側に配置し、上サイドカバー１８の内面と各係止片１０３の間に形成された後方に開口する差込溝１０８にスカート部１３の両側の後端部を差し込んで左右方向に位置決めした状態で係止し、同時に、各係止片１０３の先端部を係止凹部１０７に差し込んで上下方向に位置決めした状態で係止する。
【００４４】
上記のように取付けられた左右の上サイドカバー１８のうち一方（右側）の上サイドカバー１８には操作器用孔１１０を形成してあり、装置支持ケース１５に設けた操作器１１１の操作部１１１ａが操作器用孔１１０を介して便器２の外面側に露出するようにしている。なお操作器１１１は操作部１１１ａを操作することで既述の局部洗浄装置５ａ、送風装置５ｂ、脱臭装置５ｃ、ボウル洗浄装置５ｄ等を操作できるものである。また右側の上サイドカバー１８の後部には下方に開口する給水管用切欠部１０５を形成してあり、給水管用切欠部１０５に外部給水管（図示せず）を挿通して便器付属装置に接続できるようになっている。
【００４５】
図２５に示す下サイドカバー１９の内面の後端部の上部及び下端部の前後２箇所の夫々には磁石取付部１１２を設けてあり、各磁石取付部１１２には磁石１１３ａ、１１３ｂを設けている。図２４に示すようにリアカバー１７の内面の両側端部において前記下サイドカバー１９の上部に設けた磁石取付部１１２に対応する位置には鉄板取付部１１４を設けてあり、鉄板取付部１１４には鉄板１１７を設けている。下サイドカバー１９の内面の上部の前部には係止突部１１５を一体に突設してあり、上サイドカバー１８の内面の下端部の前部において係止突部１１５に対応する位置には係止突部１１５が挿入係止される孔を有する被係止部１１６を一体に突設している。
【００４６】
下サイドカバー１９を取付けるには、下サイドカバー１９の後端縁面をリアカバー１７の側端縁面の下部に合わせて下サイドカバー１９の外面とリアカバー１７の外面が面一となるように配置し、且つ下サイドカバー１９の外面とスカート部１３の外面が面一となるように前端縁部をスカート部１３の差込片部１０６の外面側に配置し、下側２箇所に設けた磁石１１３ａを支持フレーム３の下フレーム３ａの後部の両外側面に磁力により取付けると共に上側に設けた磁石１１３ｂを鉄板１１７に磁力により取付け、同時に係止突部１１５を上サイドカバー１８の被係止部１１６に係止して位置決めする。このように取付けた各下サイドカバー１９によって装置支持ケース１５下方の収納部１２２に対向する便器２の後部側壁の下部が構成され、このうち右側の下サイドカバー１９により前述の洗浄液タンク４６が覆い隠され、また左側の下サイドカバー１９により操作レバー、配線などが覆い隠される。
【００４７】
上記下サイドカバー１９の係止突部１１５と上サイドカバー１８の被係止部１１６は係脱自在に係止してあり、係止突部１１５と被係止部１１６の係止は下サイドカバー１９を左右方向の外側に移動すれば容易に解除できるようになっている。従って下サイドカバー１９を外側に移動すれば、係止突部１１５と被係止部１１６の係止が解除されると共に、磁力により引っ付けられた下サイドカバー１９の磁石１１３ａ、１１３ｂがリアカバー１７や支持フレーム３から外され、これにより下サイドカバー１９を容易に取り外すことができる。このように便器２の側壁の一部を構成する下サイドカバー１９を着脱自在とすることで、洗浄液タンク４６、トラップケース２７に設けたターントラップ、音声発生装置、配線等のメンテナンスが行えるようになっている。
【００４８】
また下サイドカバー１９の前部には上方に開口するアーム用切欠部１０９を形成してあり、上サイドカバー１８とアーム用切欠部１０９で囲まれてなる孔を前記アーム１１９を挿通するための孔として利用している。
【００４９】
図２２及び図２６に示す後パーツ２ｂの上カバー１６は、後パーツ２ｂの上面部を構成する天板部８６と、天板部８６の後部両側縁の夫々から垂下した側板部８７と、天板部８６の後縁から垂下した背板部８８を備え、天板部８６、両側板部８７、背板部８８の夫々で装置支持ケース１５の上側、後部両側、後側を覆っている。
【００５０】
上カバー１６の天板部８６の前半部８６ａは後半部８６ｂの左右方向の中央から前方に突出してあり、前半部８６ａの両側端部には切欠８９を形成している。前半部８６ａの前縁からは前垂下片９０を垂設している。前垂下片９０は前半部８６ａを前斜め下方に向けて延出して形成してあり、前側程下方に位置するように湾曲している。各切欠８９の側縁及びこれに連続する前垂下片９０の側縁からは側垂下片９１が一体に垂下し、各切欠８９の後縁からは端部垂下片９２が一体に垂下している。各端部垂下片９２の一端部は側垂下片９１の後端に接続され、他端部は側板部８７の前端の上部に接続されている。各側垂下片９１の前垂下片９０に接続した前部と天板部８６の前半部８６ａに接続した後部の夫々には前述の便座枢支部８と便蓋枢支部１０を形成してあり、便座枢支部８と便蓋枢支部１０には便座７及び便蓋９を取付けている。
【００５１】
上記両側板部８７の夫々の下端部には固着用孔１２３を形成した固着片１２４を突設している。また装置支持ケース１５の後部の両側面部の夫々にはビス孔１５ｂを形成している。
【００５２】
上カバー１６を装置支持ケース１５に取付けるには、装置支持ケース１５の上側に上カバー１６を被せ、この状態で各固着用孔１２３にビス１２６（図２等参照）を挿通し、このビス１２６をビス孔１５ｂに螺合する。この時、前垂下片９０の下端部を立上壁８１の上端部の前面側に重複させ、各側垂下片９１の下端部を側壁８３の上端部の外側に重複させ、各端部垂下片９２の下端部を便座載置部３４よりも上方に突出した延出部８２の後端部の前面側に重複させ、各側板部８７の下部前端部を延出部８２の側面部の内面側に重複させる。なお前垂下片９０の下端面、各側垂下片９１の下端面、各端部垂下片９２の下端面は、立上壁８１の上面、側壁８３の上面、延出部８２の後端部の上面に接合しても良いし、接合しなくても良いものとする。
【００５３】
上記のように上カバー１６を装置支持ケース１５に取付けることで、上カバー１６と、リム部１２の立上壁８１、各側壁８３、各延出部８２で立上部４が形成される。また同時に、上カバー１６の各側垂下片９１と対応するリム部１２の側壁８３で各被枢支部収納部６の側面部が形成され、上カバー１６の各端部垂下片９２で各被枢支部収納部６の後面部が形成され、またリム部１２の各延出部８２で各被枢支部収納部６の下面部が形成される。
【００５４】
上記上カバー１６の前垂下片９０の下端部はリム部１２の立上壁８１の上端部の前側に重複し、各側垂下片９１の下端部は対応する側壁８３の上端部の外面側に重複し、各端部垂下片９２の下端部は対応する延出部８２の後端部の前側に重複する。従って上カバー１６とリム部１２の境界部、即ち前垂下片９０の下端部と立上壁８１の上端部の境界部９３ａ、各側垂下片９１の下端部と対応する側壁８３の上端部の境界部９３ｂ、各端部垂下片９２の下端部と対応する延出部８２の後端部の境界部９３ｃ等から汚水等が立上部４内に侵入することが防止される。
【００５５】
また図１に示すようにリム部１２の立上壁８１の上端部の左右方向の中央部には上方に開口する窓形成用切欠部９４を形成している。窓形成用切欠部９４の上方開口は図２等に示すように上カバー１６の前垂下片９０によって閉塞され、前垂下片９０の下縁と窓形成用切欠部９４によって囲まれてなる開口部には着座センサー用窓部９５が設けられる。着座センサー用窓部９５は便座載置部３４上に載置して倒した状態にある便座７の便座被枢支部７ａよりも前方の部分よりも上方に位置し、前面視で倒した便座７によって覆い隠されない位置に配設される。装置支持ケース１５に設けた図示しない赤外線式のセンサー等からなる光学式の着座センサーは着座センサー用窓部９５を介して立上部４の前方に臨んでおり、この着座センサーにより便座７に着座した人を検知できるようになっている。なおこの着座センサーは例えば便座７に人が着座した時に自動的に脱臭装置５ｃを駆動させる際などに利用される。
【００５６】
また上カバー１６の前垂下片９０の下部には人体検知センサー用窓部９６を設けている。人体検知センサー用窓部９６は図２３に示すように便蓋９を倒した状態で、便蓋９の便蓋被枢支部９ａよりも前方の部分よりも上方に位置し、前面視で倒れた便蓋９によって覆い隠されない位置に配設される。装置支持ケース１５に設けた図示しない赤外線式のセンサー等からなる光学式の人体検知センサーは人体検知センサー用窓部９６を介して立上部４の前方に臨んでいる。人体検知センサーにより便器２の前方に居る人を検知できるようになっている。なおこの人体検知センサーは例えばトイレに人が入室して便器２の前方に人が来た時に図示しないモータにより自動的に便蓋９を起立させる際などに利用される。
【００５７】
以上説明した便器装置にあっては、ボウル１を備えた前パーツ２ａと後パーツ２ｂとで合成樹脂製の便器２を形成でき、またこの強度の弱い合成樹脂製の便器２を金属製の支持フレーム３に取付けることで便器２を補強できる。また比較的軽量な便器付属装置を支持フレーム３の上フレーム３ｂに載置して取付け、便座７に人が着座した場合等に大きな荷重がかかるスカート部１３の載置横片６０を床１４上に設置される下フレーム３ａの平面視馬蹄形状の前パーツ載置部２１に載置して取付けることで、便座７に人が着座した場合等に支持フレーム３に大きな荷重がかかった際に該支持フレーム３が変形することを防止できる。また支持フレーム３を床１４上に安定して設置できる。また便座７に人が着座した場合等にスカート部１３に荷重がかかったとしても、この荷重をスカート部１３の内側に向けて突出した載置横片６０を介して下フレーム３ａの載置部２１で受けることができ、厚みの薄いスカート部１３が変形することを防止できる。
【００５８】
また本実施形態ではスカート部１３の下端部を載置横片６０よりも下方に突出して下フレーム覆い部６１とし、下フレーム３ａの前パーツ載置部２１の外面側に下フレーム覆い部６１を配置し、該下フレーム覆い部６１の下端と床１４への設置面となる前パーツ載置部２１の下面との間に隙間７８を形成したので、下フレーム３ａの前パーツ載置部２１の外面側を下フレーム覆い部６１で覆って支持フレームがほとんど露出しない便器装置とすることができ、外観を向上できる。
【００５９】
またスカート部１３の下フレーム覆い部６１の内面と前パーツ載置部２１の外側面との間に隙間７９を形成したので、スカート部１３の載置横片６０を支持フレーム３の前パーツ載置部２１に載置するにあたって、下フレーム覆い部６１の内側に前パーツ載置部２１を嵌めこむように配置するにあたって、下フレーム覆い部６１の内側に前パーツ載置部２１を容易に嵌め込むことができる。
【００６０】
またスカート部１３の両側の後端部の夫々の内面を縦フレーム材沿面６３とし、縦フレーム３ｃの各縦フレーム材２８ａの外側面に縦フレーム材沿面６３を沿わせることで、厚みの薄いスカート部１３の両側の後端部が内側方に向けて変形した場合に、縦フレーム材沿面６３を縦フレーム材２８ａの外側面に当接させて支持することができ、これによりスカート部１３の変形を防止できる。
【００６１】
またスカート部１３の後部から内側方に向けて突出する縦フレーム取付部６２を形成し、該縦フレーム取付部６２を縦フレーム材２８ａの前面側に配置して取付けたので、スカート部１３の後端部にかかる左右方向の力を縦フレーム材２８ａで受けることができ、スカート部１３の変形を一層防止できる。
【００６２】
またスカート部１３の内面に上下に伸びる補強リブ２５を形成し、該補強リブ２５の下端を載置横片６０に一体に接続したので、便器２の荷重がかかる載置横片６０を補強できる。
【００６３】
なお上記実施形態においてはターントラップ式の便器装置の例で説明したが、これにのみ限定されず、サイフォン式やサイフォンジェット式、あるいは洗い流し式のものであっても良い。
【図面の簡単な説明】
【００６４】
【図１】本発明の実施の形態の一例を示し、便器装置の分解斜視図である。
【図２】同上の便器装置の便蓋を起立し且つ便座を倒した状態の斜視図である。
【図３】同上の便器装置の便蓋を起立し且つ便座を倒した状態の右側面図である。
【図４】同上の便器装置の便蓋及び便座を起立した状態の斜視図である。
【図５】同上の便器装置の便蓋及び便座を起立した状態の便器装置の右側面図である。
【図６】同上の便器装置の便蓋及び便座を起立した状態の正面図である。
【図７】同上の便器装置の底面図である。
【図８】同上の支持フレームの斜視図である。
【図９】同上の便器付属装置を設けた装置支持ケースを前側から見た斜視図である。
【図１０】同上の便器付属装置を設けた装置支持ケースを後側から見た斜視図である。
【図１１】同上の前パーツの分解斜視図である。
【図１２】同上のスカート部を示し、（ａ）は後側から見た斜視図、（ｂ）は前側から見た斜視図、（ｃ）は後側から見た透視斜視図、（ｄ）は前側から見た透視斜視図である。
【図１３】同上のボウル部の平面図である。
【図１４】同上のリム部の底面図である。
【図１５】同上のスカート部と支持フレームの取付構造を示す斜視図である。
【図１６】同上のスカート部の縦フレーム取付部と支持フレームの縦フレームの接続構造を示す側断面図である。
【図１７】同上のスカート部の載置横片と支持フレームの前パーツ載置部の接続構造を示す正断面図である。
【図１８】同上の便器の一部図示を省略した側断面図である。
【図１９】（ａ）は同上のトラップケースに洗浄液タンクを取付けた状態を示す斜視図であり、（ｂ）は（ａ）の分解斜視図である。
【図２０】同上の支持フレーム及び支持フレームに取付けた装置支持ケースにリアカバーを取付ける前の状態を示す斜視図である。
【図２１】同上の支持フレーム及び支持フレームに取付けた装置支持ケースにリアカバーを取付けた状態を示す斜視図である。
【図２２】同上の前パーツと上カバーを示す斜視図である。
【図２３】同上の便器装置の便蓋を倒した状態を示す要部斜視図である。
【図２４】同上のリアカバーの前面（内面）側から見た斜視図である。
【図２５】同上の上サイドカバー及び下サイドカバーの斜視図である。
【図２６】同上の支持フレームに設けた装置支持ケースから上カバー取り外した状態を示す斜視図である。
【図２７】同上のスカート部と上サイドカバーの接続構造を示す斜視図である。
【符号の説明】
【００６５】
２  便器
３  支持フレーム
３ａ  下フレーム
３ｂ  上フレーム
３ｃ  縦フレーム
５  便器付属装置
１３  スカート部
１４  床
２１  載置部
２５  補強リブ
２８ａ  縦フレーム材
６１  下フレーム覆い部
６２  縦フレーム取付部
６３  縦フレーム沿面
７８  隙間
７９  隙間
【図１】
2008095449.tif 000003
【図２】
2008095449.tif 000004
【図３】
2008095449.tif 000005
【図４】
2008095449.tif 000006
【図５】
2008095449.tif 000007
【図６】
2008095449.tif 000008
【図７】
2008095449.tif 000009
【図８】
2008095449.tif 000010
【図９】
2008095449.tif 000011
【図１０】
2008095449.tif 000012
【図１１】
2008095449.tif 000013
【図１２】
2008095449.tif 000014
【図１３】
2008095449.tif 000015
【図１４】
2008095449.tif 000016
【図１５】
2008095449.tif 000017
【図１６】
2008095449.tif 000018
【図１７】
2008095449.tif 000019
【図１８】
2008095449.tif 000020
【図１９】
2008095449.tif 000021
【図２０】
2008095449.tif 000022
【図２１】
2008095449.tif 000023
【図２２】
2008095449.tif 000024
【図２３】
2008095449.tif 000025
【図２４】
2008095449.tif 000026
【図２５】
2008095449.tif 000027
【図２６】
2008095449.tif 000028
【図２７】
2008095449.tif 000029